(57)【要約】  本発明は、光軸Ｘを持ち、ベース部材７０と、前記光軸の方を向く内面１２を持つカップ形状反射器１０と、前記ベース部材の前記光軸に配置される少なくとも一つの固体光源４０、４２と、中央レンズ部２０及び環状レンズ部３０を有するレンズであって、光の出射方向における少なくとも一つの固体光源の前に配置される当該レンズとを有する光学装置１に関する。前記中央レンズ部はドーム形状の外面２２を有し、前記環状レンズ部は前記反射器の内面に面する凸形状を備える外面３２を有する。前記反射器及び前記レンズは、一つの材料の固体片として一緒に形成される。
2016509360.tif 000002
【特許請求の範囲】
【請求項１】
光軸を持ち、
ベース部材と、
前記光軸の方を向く内面を持つカップ形状反射器と、
前記ベース部材上で前記光軸に又は該光軸の近くに配置される少なくとも一つの固体光源と、
中央レンズ部及び環状レンズ部を有するレンズであって、光の出射方向において前記少なくとも一つの固体光源の前に配置される当該レンズと
を有し、
前記中央レンズ部はドーム形状の外面を有し、
前記環状レンズ部は前記反射器の前記内面に面する凸形状を備える外面を有する、
光学装置。
【請求項２】
前記反射器及び前記レンズは、一つの材料の固体片として一緒に形成される、請求項１に記載の光学装置。
【請求項３】
前記中央レンズ部及び前記環状レンズ部は各々、前記少なくとも一つの固体光源が中に配置される内部キャビティを一緒に形成する内面を有する、請求項１又は２に記載の光学装置。
【請求項４】
前記中央レンズ部の前記内面は、前記光軸に実質的に垂直に延在する、請求項１乃至３のいずれか一項に記載の光学装置。
【請求項５】
前記中央レンズ部の前記内面は、凸形状、凹形状又は非球面形状で延在する、請求項３に記載の光学装置。
【請求項６】
前記環状レンズ部の前記内面の第１の部分は、前記光軸と実質的に平行に延在する面を備える、請求項３乃至５のいずれか一項に記載の光学装置。
【請求項７】
前記環状レンズ部の前記内面は、前記内面の前記第１の部分から、前記光軸に実質的に垂直に延在し、前記ベース部材に面する、前記内面の第３の部分へとカーブした形状を提供する第２の部分を有する、請求項６に記載の光学装置。
【請求項８】
前記反射器の前記内面は、反射性被膜によってコーティングされている、請求項１乃至７のいずれか一項に記載の光学装置。
【請求項９】
前記反射器の外面は、全反射のための溝が設けられている、請求項１乃至８のいずれか一項に記載の光学装置。
【請求項１０】
前記反射器は、前記レンズが突出する空間を形成し、前記環状レンズ部によって方向付けられる光は、前記反射器に向かって前記空間を通過する、請求項１乃至９のいずれか一項に記載の光学装置。
【請求項１１】
前記環状レンズ部の前記凸形状の外面は、球面又は非球面形状を持つ、請求項１乃至１０のいずれか一項に記載の光学装置。
【請求項１２】
前記環状レンズ部は、第１凸形状と、前記第１凸形状とは異なる第２凸形状とを備える前記反射器の方を向く外面を有する、請求項１乃至１１のいずれか一項に記載の光学装置。
【請求項１３】
前記環状レンズ部の前記外面の前記第１凸形状は、前記第２凸形状よりも小さな半径を有し、前記外面の前記第１凸形状は、前記中央レンズ部に隣接して配置され、前記外面の前記第２凸形状は、前記中央レンズ部から離れて配置される、請求項１２に記載の光学装置。
【請求項１４】
前記第１及び第２凸形状は、非球面形状である、請求項１２又は１３に記載の光学装置。
【請求項１５】
請求項１乃至１４のいずれか一項に記載の光学装置を有する発光デバイス。
【発明の詳細な説明】
【技術分野】
【０００１】
本発明は、光学装置、特に反射器及びレンズを有する薄型光学装置に関する。
【背景技術】
【０００２】
放物面又は非球面の軸対称反射器は、その単純さ及び良好なビーム制御のために、白熱光源、放電光源及びＬＥＤ光源並びに照明器具に使用される。光源光束の大部分を捕捉するために、及び、高いｃｄ／ｌｍ（カンデラ毎ルーメン）ビームを提供するために、開口型反射器は非常に奥行きを必要とする。しかしながら、光源又は照明器具の小さな外寸を可能とするために、並びに、ＬＥＤ光源、例えばＭＲ１６、ＧＵ１０及びＡＲ１１１などの照明器具において要求されるように、駆動電子機器及び冷却ファンにより多くのスペースを与えるために、奥行きの無いコンパクトな反射器が望まれている。さらに、開口型反射器では、光源は視認可能で露出されており、これは望ましくなく且つ危険でさえあり、また、多量の光が、平行化されずに及び反射器に到達しないで、照明器具の外に出て行き、これは眩しい光及び幅広い背景光の原因となる。
【０００３】
ＥＰ２２１１０９４Ａ１は、光源から狭ビームへの光のコリメーションのための照明構造を示す。しかしながら、このような装置は、依然としてやや奥行きが有り、製造及び組み立てのコストを増加させ、さらに組み立てを複雑にし、且つ、許容差に敏感な多数の部品を有する。
【０００４】
いくらかよりコンパクトな構造を提供するように適合された別の発光ユニットが、ＵＳ２０１１／０１４０１４５Ａ１に示される。このようなユニットでは、光源からの光は、レンズユニットの中へと屈折する。レンズユニットでは、ある量の光が、レンズユニットの外面で全反射（ＴＩＲ：total internal reflection）を受ける。光の第２の屈折は、光がレンズユニットを出るときに生じる。本目的は、集束ビームを提供するために光を平行化することである。しかしながら、このようなレンズユニットは、依然として非常に厚く、長さがある。したがって、より大きな直径の発光ユニットを製造するには費用がかかる。
【０００５】
結論として、良好なビーム制御を有し、且つ、信頼性のある、組み立てが容易であるコンパクトな装置を提供する照明器具が望まれる。
【発明の概要】
【発明が解決しようとする課題】
【０００６】
この問題を克服すること及び光を望ましいやり方で平行化する薄型光学装置を提供することが本発明の目的である。
【課題を解決するための手段】
【０００７】
本発明の第１態様によれば、この目的及び他の目的は、光軸を持ち、ベース部材と、光軸の方を向く内面を持つカップ形状反射器と、ベース部材上で光軸に又は該光軸の近くに配置される少なくとも一つの固体光源と、中央レンズ部及び環状レンズ部を有し、光の出射方向における少なくとも一つの固体光源の前に配置されるレンズとを有する光学装置によって達成される。中央レンズ部はドーム形状の外面を有し、環状レンズ部は反射器の内面に面する凸形状を備える外面を有する。反射器及びレンズは、一つの材料の固体片として一緒に形成されてもよい。
【０００８】
レンズは、光を光学装置の外へ向けるために、カップ形状反射器と協働するように適合される。中央レンズ部に到達する本光学装置における光源からの光は、中央レンズ部によって、実質的に光軸に対して平行化される。光源からの光が中央レンズ部に入って出るときに、２つの屈折が起こり、これによって、光軸に対して平行になるように向けられる。環状レンズ部は、中央レンズ部の周りの円形部分として配置される。中央レンズ部は、ドーム形状を有し、環状レンズ部は、中央レンズ部のドーム形状の不規則な延長として見なされ得る凸形状を有する。凸形状は、非球面又は球面形状である。これは、一般化されたデカルト楕円形状（Cartesian oval shape）であってもよい。環状レンズ部の凸形状の外面は、反射器の内面の方を向いている。環状レンズ部に到達する光源からの光は、反射器の内面に向けられる。光源からの光が環状レンズ部に入るときと出るとき、２つの屈折が起こり、これによって、反射器の方へ向けられる。次いで光は、例えば放物面反射器の内面で反射される。
【０００９】
レンズ及び反射器は、一つの材料の固体片として形成される。反射器及びレンズの固体片における材料は、ガラス又はプラスチック材料などの誘電材料である。２つの部品を一つの部品として形成することによって、装置の簡単な組み立てが提供される。さらに、これは、装置の光学特性及び熱的特性の両方を向上し得る。発光デバイスに光学装置を用いることで、一体化されたレンズ及び反射器は、発光デバイスの外面を形成する発光デバイスのハウジングの一部であり得る。
【００１０】
カップ形状反射器は、平坦な又は球面若しくは非球面のいずれかのカーブした外形を提供し、これがカップ形状を提供する。反射器は、放物面反射器であってもよい。反射器は、光学装置からの光出力の均一化を向上させるために、ファセット又はこれに類するものが設けられてもよい。同様に、レンズ部は、光学装置の機能を向上させるために、その内側及び／又は外側に、ファセット、マイクロレンズ又はこれらに類するものが設けられてもよい。環状レンズ部の外面の凸形状は、環状レンズ部に到達する光が、コンパクトに構成された反射器であっても、反射器の内面に到達するように向けられ得ることを提供する。よって、反射器は、凸部の全く無いレンズを備える反射器よりも浅くなり得る。本レンズ部及び反射器を用いて光源からの光を方向付けすることによって、光学装置から集束度の高いビームを提供するある量の光は、光軸に対して平行化される。さらに、反射器及びレンズを一つの材料の固体片として提供することによって、より低いコストの装置及び装置のより容易な組み立てが提供され得る。
【００１１】
一実施形態では、中央レンズ部及び環状レンズ部は各々、少なくとも一つの固体光源が中に配置され得る内部キャビティを一緒に形成する内面を有する。内部キャビティを形成する種々異なる内面は、光源から中央レンズ部又は環状レンズ部への光の方向を提供する。各内面の位置は、いずれかのレンズ部に向けられ得る光の量及び方向に対応する。
【００１２】
中央レンズ部の内面は、光軸に実質的に垂直に延在する。光軸に実質的に垂直に延在する中央レンズ部の内面は、中央レンズ部のドーム形状の外面と共に、出射光の所望のコリメーションを提供するよう、光源からの光の屈折を提供し得る。代替的に、中央レンズ部の内面は、凸形状、凹形状又は非球面形状を有してもよい。これによって、内面は、さらに、少なくとも一つの光源からの光を平行化するために中央レンズ部の外面と協働するように適合される。内面は、その形状に関係なく、少なくとも一つの光源からの光の光混合を制御するためにマイクロレンズが設けられてもよい。
【００１３】
さらに、環状レンズ部の内面の第１の部分は、光軸と実質的に平行に延在する。光軸と実質的に平行に延在する環状レンズ部の内面は、環状レンズ部の非球面形状の外面と共に、放物面反射器へ向かう出射光の所望の方向を提供するよう、光源からの光の屈折を提供し得る。
【００１４】
環状レンズ部の内面は、さらに、前記内面の第１の部分から、前記内面の、光軸に実質的に垂直に延在し、ベース部材に面する第３の部分へとカーブした形状を提供する第２の部分を有する。内面の第２の部分のカーブした形状は、デカルト楕円形状であってもよい。光軸と平行な第１の部分とベース部材に面する第３の部分との間のカーブした形状は、ベース部材の近くを延在する光源からの光が反射器に到達し得ることを保証する。カーブした形状は、環状レンズ部の外面での第２の屈折と共に、光を反射器の方に向けるのに十分な光の屈折を提供する。内面がこのようなカーブした形状を有さなかった場合、より多くの光が反射器に到達できず、したがって、光軸に対して平行化されない。
【００１５】
別の実施形態では、反射器の内面は、反射性被膜によってコーティングされる。光軸と平行化されるべき反射器に到達する光の光学反射を向上させるために、反射器の内面に反射性被膜が設けられる。このような被膜は、金属被膜である。代替的に、反射器の外面に全反射のための溝が設けられてもよい。外面は、内面に対して反射器の反対の側に位置付けられる。全反射のための溝は、反射器における反射及び光のコリーメーションを提供するために、光の２つの全反射を提供する。
【００１６】
一実施形態では、反射器は、レンズが突出する空間を形成し、環状レンズ部によって方向付けられる光は、前記空間を通過して反射器に向かうように適合される。光源からの光は、環状レンズ部を通過するときに２つの屈折を受ける。これらの屈折によって方向付けされた後、光は反射器に向かって前記空間を通過し、したがって反射器の内面で反射される。
【００１７】
他の実施形態では、環状レンズ部は、第１凸形状と、第１凸形状とは異なる第２凸形状とを備える反射器の方を向く外面を有してもよい。反射器の異なった部分に到達する光は、様々に方向付けされ、平行化される。環状レンズ部の異なる部分を出る光が反射器へ正しく方向付けされることが重要である。環状レンズ部を出る光が反射器に到達せずに光学装置から逃げることを防止するために、環状レンズ部の外面の異なる部分に種々異なる凸形状を提供することによって、より多くの光が反射器の方に向けられる。環状レンズ部の外面の第１凸形状は、第２凸形状よりも小さな半径を有し、外面の第１凸形状は、中央レンズ部に隣接して配置され、外面の第２凸形状は、中央レンズ部から離れて配置される。第１及び第２凸形状は、球面又は非球面形状である。第１及び第２凸形状は、一般化されたデカルト楕円形状であってもよい。
【００１８】
本発明の第２態様によれば、上記に示された光学装置を有する発光デバイスが提供される。発光デバイスは、さらに、ハウジングとヒートシンクとを有する。
【００１９】
本発明は、請求項に列記される特徴の全ての可能な組み合わせに関することに留意されたい。
【００２０】
本発明の特定の特徴及び有利な点を含む本発明の様々な態様は、以下の詳細な説明及び添付の図面から容易に理解されるであろう。
【図面の簡単な説明】
【００２１】
【図１】図１は、本発明の実施形態による光学装置を有する照明器具の斜視図である。
【図２】図２は、本発明の実施形態による光学装置の断面図である。
【図３】図３は、本発明の実施形態による光学装置を有する発光デバイスの断面図の一つである。
【図４】図４は、本発明の実施形態による光学装置を有する発光デバイスの断面図の一つである。
【発明を実施するための形態】
【００２２】
本発明は、ここで、本発明の現在好ましい実施形態が示される添付の図面を参照して、以下により十分に説明されるだろう。しかしながら、この発明は、多くの種々異なる形態で具体化され、ここに明記される実施形態に限定されるものとして解釈されるべきではない。むしろ、これらの実施形態は、徹底性及び完全性のために提供され、本発明の範囲を当業者に十分に伝えるものである。明細書全体を通して、同じ参照番号は同じ要素を指す。
【００２３】
図１は、光学装置１を有する発光デバイスを示す。示される実施形態では、光学装置１は、内面１２を有する放物面反射器１０と、中央レンズ部２０及び環状レンズ部３０を有するレンズとを有する。しかしながら、光学装置の説明される機能は、他のカップ形状反射器に適用可能である。
【００２４】
図２は、断面図において、光軸Ｘを備え、放物面反射器１０及びレンズを有する光学装置１を示す。レンズは、中央レンズ部２０と、環状レンズ部３０とを有する。レンズは、光源４０、４２の前に配置される。放物面反射器１０は、光軸Ｘの方を向く内面１２を有する。放物面反射器は、カップ形状空間１４を形成する。レンズ２０、３０は、前記空間１４に突出する。
【００２５】
中央レンズ部２０は、ドーム形状の外面２２と、光源４０に面する内面２４とを有する。内面２４は、光軸Ｘに垂直な平面に延在する。環状レンズ部３０は、非球面形状の外面３２と、光源４０、４２の方を向く内面３６、３７、３８とを有する。レンズ部２０、３０の内面２４、３６、３７、３８はともに、光源４０が配置される内部キャビティ５０を形成する。
【００２６】
放物面反射器１０と、レンズ２０、３０とは一つの固体片として形成される。
【００２７】
中央レンズ部２０に到達する光源４０からの光Ａ１は、内部キャビティ５０と中央レンズ部２０との間の境界で屈折される。中央レンズ部２０を通って進展する光Ａ２は、さらに中央レンズ部２０と周囲空気（又は空間１４）との間で屈折される。中央レンズ部２０の内面２４の平坦な延在部及び外面２２のドーム形状は、中央レンズ部２０を出る光Ａ３が平行化されることをもたらす。光Ａ３は、光軸Ｘと実質的に平行であってもよい。
【００２８】
環状レンズ部３０の内面は、光軸Ｘと実質的に平行に延在する又は光軸Ｘに対して１０°未満の角度を持つ第１の部分３６を有する。第１の部分３６は、中央レンズ部２０の内面２４に隣接して配置される。環状レンズ部３０の内面は、さらに第２の部分３７と第３の部分３８とを有する。第２の部分３７は、デカルト楕円形状の形をしたカーブした形状で延在する。第３の部分３８は、ベース部材７０に面し、光軸Ｘに垂直な平面に延在する。カーブした形状の第２の部分３７は、第１の部分と第３の部分との間に延在する。
【００２９】
環状レンズ部３０の内面の第１の部分３６に到達する光源４０からの光Ｂ１は屈折される。これは、光Ｂ２として環状レンズ部３０をさらに進展し、環状レンズ部３０の外面３２から該レンズ部を出て、光Ｂ３になる。光Ｂ３は、環状レンズ部３０の内面の第２の部分３７と第３の部分３８との間の境界点から放物面反射器の内面１２に向かって直線に進展する仮想光線Ｖと一致する方向に、空間１４を通って進む。光Ｂ３は、放物面反射器１０の内面１２に反射され、平行化された光Ｂ４となる。
【００３０】
環状レンズ部３０の内面のカーブした形状の第２の部分３７は、第３の部分３８の平面に対して小さな角度で進展する光源４０からの光Ｃ１を屈折させる目的を有する。第２の部分３７の形状は、光Ｃ２が、環状レンズ部３０の外面３２で屈折されるのに十分な方向に環状レンズ部３０を通って進展するように、屈折をもたらす。環状レンズ部を出る光Ｃ３は、空間１４を通って進展し、放物面反射器１０の内面１２で反射され、平行化された光Ｃ４になる。このような装置は、光源４０から光軸に垂直な方向又は垂直に近い方向に進展する光が依然装置１で平行化されることを提供する。
【００３１】
一実施形態では、環状レンズ部３０の非球面形状の外面３２は、第１の非球面形状３３と、第２の非球面形状３４とを有する。第１の非球面形状３３は、第２の非球面形状３４よりも小さな半径を有する。第１の非球面形状３３は、中央レンズ部２０の外面２２に隣接して配置される。境界３１が、中央レンズ部２０の外面２２と環状レンズ部３０の外面３２の第１の非球面形状３３との間に形成される。第１の非球面形状３３及び第２の非球面形状３４は、デカルト楕円形状を有する。
【００３２】
内部キャビティ５０の光軸Ｘに配置されない光源４２が提供されてもよい。第１の非球面形状３３は、中央レンズ部２０の内面２４に近い環状レンズ部３０の内側の第１の部分３６に到達するこのような光源４２からの光Ｄ１、Ｅ１が、平行化されずに装置１から逃げないことを確実にするために設けられる。光Ｄ１、Ｅ１は、環状レンズ部３０の中へと屈折する。光Ｄ２、Ｅ２は、光Ｄ３、Ｅ３として放物面反射器１０の方に向けられるように、さらに外面３２の第１の非球面形状３３で屈折される。光Ｄ３、Ｅ３は、次いで放物面反射器１０の内面１２で反射され、平行化された光Ｄ４、Ｅ４になる。第１の非球面形状３３及び第２の非球面形状３４を有する環状レンズ部３０の外面３２のために、光源４０、４２からの多量の光は平行化される。環状レンズ部３０の外面３２を出る全ての光Ｂ３、Ｃ３、Ｄ３、Ｅ３は、放物面反射器１０によって平行化される。
【００３３】
図３は、本発明による光学装置１を有する発光デバイスの実施形態を示す。発光デバイスは、光学装置１及び光源４０、４２が配置されるベース７０と、ハウジング６０とを有する。ハウジング６０及び光学装置１は、発光デバイスの外形を形成する。放物面反射器１０ａは、ハウジング６０と接触して配置される。
【００３４】
図４は、発光デバイスに配置される光学装置１の実施形態を示す。放物面反射器１０ｂには、厚い反射壁が設けられる。反射器１０ｂは、ハウジング６０の一部を形成してもよい。このような反射器１０ｂは、発光デバイスのための伝熱機能のために設けられてもよい。光学装置１が配置されるベース７０は、光源４０、４２からの熱を伝達する。放物面反射器１０ａは、ベース７０からの伝熱パフォーマンスを改善する。ベースは、プリント回路基板である。厚い壁を備える放物面反射器１０ｂは、光学的パフォーマンス、ハウジング、放熱及び電気防食の機能を併せ持つ。放物面反射器１０ｂの外面１６は、ハウジング６０とともに、光学装置１の外面を形成する。
【００３５】
当業者は、本発明は、上記に説明された好ましい実施形態に全く限定されないことを理解する。反対に、多くの変更形態及びバリエーションが、添付の請求項の範囲内で可能である。例えば、環状レンズ部の外面は、球面又は非球面形状など任意の凸形状を有してもよく、中央レンズ部の内面は、平坦な形状、或いは、球面、非球面又は凸形状若しくは凹形状の任意のカーブした形状を有してもよく、反射器は、任意の平坦な、或いは、球面又は非球面形状など任意のカーブしたカップ形状を有してもよい。さらに、非球面形状及び内部キャビティの形状のサイズは異なってもよい。
【００３６】
さらに、開示された実施形態に対するバリエーションは、当業者により、請求項に係る発明を実施する際に、図面、開示内容、及び添付の請求項の精査から理解され、達成され得る。請求項において、「有する(comprising)」なる単語は、他の構成要素又はステップを排除するものではなく、不定冠詞「a」又は「an」は、複数を排除するものではない。単一のプロセッサ又はその他のユニットが、請求項に列記された幾つかのアイテムの機能を実行してもよい。特定の手段が相互に異なる従属請求項に引用されているという単なる事実は、これら手段の組み合わせを有利に使用することができないということを示すものではない。
【図１】
2016509360.tif 000003
【図２】
2016509360.tif 000004
【図３】
2016509360.tif 000005
【図４】
2016509360.tif 000006
【国際調査報告】
2016509360.tif 000007
2016509360.tif 000008